(57)【特許請求の範囲】
【請求項１】
各々の循環利用可能な物流容器には、循環利用可能な物流容器のＩＤを少なくとも含む無線信号を送信するための無線ラベルが設けられ、
第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、その被覆範囲におけるすべての循環利用可能な物流容器の無線ラベルから送信された無線信号を受信し、かつ、各々のワイヤレスセンサーネットワークは、少なくとも１つのワイヤレスセンサ装置を備え、
前記第１のワイヤレスセンサーネットワークによる前後の２つの時刻での検知結果に基づいて、前記第１の受渡領域から離間した循環利用可能な物流容器のＩＤを第１の候補受渡集合として自動的に識別するステップと、
前記第２のワイヤレスセンサーネットワークによる前後の２つの時刻での検知結果に基づいて、前記第２の受渡領域に進入した循環利用可能な物流容器のＩＤを第２の候補受渡集合として自動的に識別するステップと、
前記第１の候補受渡集合と前記第２の候補受渡集合との積集合を、前記第１の受渡領域から前記第２の受渡領域への受渡結果として取得するステップと、を含む
ことを特徴とする循環利用可能な物流容器の受渡方法。
【請求項２】
前記第１のワイヤレスセンサーネットワークは前記第１の受渡領域を被覆し、前記第２のワイヤレスセンサーネットワークは前記第２の受渡領域を被覆し、
前記第１のワイヤレスセンサーネットワークによる前後の２つの時刻での検知結果に基づいて、前記第１の受渡領域から離間した循環利用可能な物流容器のＩＤを第１の候補受渡集合として自動的に識別するステップは、
第１の時刻で前記第１のワイヤレスセンサーネットワークによって検知した前記第１の受渡領域におけるすべての循環利用可能な物流容器のＩＤを第１のＩＤ集合として取得するサブステップと、
第１の時刻よりも後ろの第２の時刻で前記第１のワイヤレスセンサーネットワークによって検知した前記第１の受渡領域におけるすべての循環利用可能な物流容器のＩＤを第２のＩＤ集合として取得するサブステップと、
前記第１のＩＤ集合に対して前記第２のＩＤ集合から減少した循環利用可能な物流容器のＩＤを第１の候補受渡集合とするサブステップと、を含み、
前記第２のワイヤレスセンサーネットワークによる前後の２つの時刻での検知結果に基づいて、前記第２の受渡領域から離間した循環利用可能な物流容器のＩＤを第２の候補受渡集合として自動的に識別するステップは、
第２の時刻よりも後ろの第３の時刻で前記第２のワイヤレスセンサーネットワークによって検知した前記第２の受渡領域におけるすべての循環利用可能な物流容器のＩＤを第３のＩＤ集合として取得するサブステップと、
第３の時刻よりも後ろの第４の時刻で前記第２のワイヤレスセンサーネットワークによって検知した前記第２の受渡領域におけるすべての循環利用可能な物流容器のＩＤを第４のＩＤ集合として取得するサブステップと、
前記第３のＩＤ集合に対して前記第４のＩＤ集合に新たに増加した循環利用可能な物流容器のＩＤを第２の候補受渡集合とするサブステップと、を含む
ことを特徴とする請求項１に記載の循環利用可能な物流容器の受渡方法。
【請求項３】
前記第１の受渡領域の出口には、前記第１の受渡領域から離間する方向に沿って第１および第２のワイヤレスセンサー装置が設けれ、
前記第２の受渡領域の入口には、前記第２の受渡領域に進入する方向に沿って第３および第４のワイヤレスセンサー装置が設けられ、
前記第１のワイヤレスセンサーネットワークによる前後の２つの時刻での検知結果に基づいて、前記第１の受渡領域から離間した循環利用可能な物流容器のＩＤを自動的に識別するステップは、
前記第１および第２のワイヤレスセンサー装置が相次いで１つの循環利用可能な物流容器のＩＤを検知した場合、当該循環利用可能な物流容器のＩＤが前記第１の受渡領域から離間した循環利用可能な物流容器のＩＤであると判定するステップを含み、
前記第２のワイヤレスセンサーネットワークによる前後の２つの時刻での検知結果に基づいて、前記第２の受渡領域から離間した循環利用可能な物流容器のＩＤを自動的に識別するステップは、
前記第３および第４のワイヤレスセンサー装置が相次いで１つの循環利用可能な物流容器のＩＤを検知した場合、当該循環利用可能な物流容器のＩＤが前記第２の受渡領域に進入した循環利用可能な物流容器のＩＤであると判定するステップを含む
ことを特徴とする請求項１に記載の循環利用可能な物流容器の受渡方法。
【請求項４】
サーバは、荷主に対応するクライアントから送信した、循環利用可能な物流容器の需要数量および荷主の位置情報を少なくとも含むコンテナ配送要求情報を受信するステップと、
前記サーバは、前記コンテナ配送要求情報と整合する３ＰＬ事業者をデータベースから選択するとともに、前記３ＰＬ事業者に対応するクライアントにコンテナ配送通知情報を送信するステップと、
前記サーバは、前記３ＰＬ事業者に対応するワイヤレスセンサーネットワークによる前後の２つの時刻での検知結果に基づいて、前記３ＰＬ事業者の受渡領域から離間した循環利用可能な物流容器のＩＤを第３の候補受渡集合として自動的に識別するステップと、
前記サーバは、前記荷主に対応するワイヤレスセンサーネットワークによる前後の２つの時刻での検知結果に基づいて、前記荷主の受渡領域に進入した循環利用可能な物流容器のＩＤを第４の候補受渡集合として自動的に識別するステップと、
前記第３の候補受渡集合と前記第４の候補受渡集合との積集合を、前記３ＰＬ事業者の受渡領域から前記荷主の受渡領域へのコンテナ配送受渡結果として取得するステップと、
前記コンテナ配送受渡結果と前記コンテナ配送要求情報とが一致するかを判定し、一致している場合、前記３ＰＬ事業者から前記荷主へのコンテナ配送受渡が完了したと判定するステップと、を含む
ことを特徴とするコンテナ配送管理方法。
【請求項５】
前記コンテナ配送要求情報は、荷受人の位置情報をさらに含み、
前記サーバは、前記荷主に対応するワイヤレスセンサーネットワークによる前後の２つの時刻での検知結果に基づいて、前記荷主の受渡領域から離間した循環利用可能な物流容器のＩＤを第５の候補受渡集合として自動的に識別するステップと、
前記サーバは、前記コンテナ配送要求情報における荷受人のワイヤレスセンサーネットワークによる前後の２つの時刻での検知結果に基づいて、前記荷受人の受渡領域に進入した循環利用可能な物流容器のＩＤを第６の候補受渡集合として自動的に識別するステップと、
前記第５の候補受渡集合と前記第６の候補受渡集合との積集合を、前記荷主の受渡領域から前記荷受人の受渡領域への受渡結果として取得するステップと、
前記受渡結果と前記コンテナ配送要求情報とが一致するかを判定し、一致している場合、前記荷主から前記荷受人へのコンテナ配送受渡が完了したと判定するするステップと、をさらに含む
ことを特徴とする請求項４に記載のコンテナ配送管理方法。
【請求項６】
サーバは、荷受人に対応するクライアントから送信した、循環利用可能な物流容器の返却数量および荷受人の位置情報を少なくとも含むコンテナ返却要求情報を受信するステップと、
前記サーバは、前記コンテナ返却要求情報と整合する３ＰＬ事業者をデータベースから選択するとともに、前記３ＰＬ事業者に対応するクライアントにコンテナ返却通知情報を送信するステップと、
前記サーバは、前記荷受人に対応するワイヤレスセンサーネットワークによる前後の２つの時刻での検知結果に基づいて、前記荷受人の受渡領域から離間した循環利用可能な物流容器のＩＤを第７の候補受渡集合として自動的に識別するステップと、
前記サーバは、前記３ＰＬ事業者に対応するワイヤレスセンサーネットワークによる前後の２つの時刻での検知結果に基づいて、前記３ＰＬ事業者の受渡領域に進入した循環利用可能な物流容器のＩＤを第８の候補受渡集合として自動的に識別するステップと、
前記第７の候補受渡集合と前記第８の候補受渡集合との積集合を、前記荷受人の受渡領域から前記３ＰＬ事業者の受渡領域へのコンテナ返却受渡結果として取得するステップと、
前記コンテナ返却受渡結果と前記コンテナ返却要求情報とが一致するかを判定し、一致している場合、コンテナ返却受渡が完了したと判定するステップと、を含む
ことを特徴とするコンテナ返却管理方法。
【請求項７】
各々の循環利用可能な物流容器には、循環利用可能な物流容器のＩＤを少なくとも含む無線信号を送信するための無線ラベルが設けられ、
第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、その被覆範囲におけるすべての循環利用可能な物流容器の無線ラベルから送信された無線信号を受信し、かつ、各々のワイヤレスセンサーネットワークは、少なくとも１つのワイヤレスセンサ装置を備え、
前記第１のワイヤレスセンサーネットワークによる前後の２つの時刻での検知結果に基づいて、前記第１の受渡領域から離間した循環利用可能な物流容器のＩＤを第１の候補受渡集合として自動的に識別する第１の自動識別ユニットと、
前記第２のワイヤレスセンサーネットワークによる前後の２つの時刻での検知結果に基づいて、前記第２の受渡領域に進入した循環利用可能な物流容器のＩＤを第２の候補受渡集合として自動的に識別する第２の自動識別ユニットと、
前記第１の候補受渡集合と前記第２の候補受渡集合との積集合を、前記第１の受渡領域から前記第２の受渡領域への受渡結果として取得する受渡結果判定ユニットと、を備える
ことを特徴とする循環利用可能な物流容器の受渡システム。
【請求項８】
前記第１のワイヤレスセンサーネットワークは前記第１の受渡領域を被覆し、前記第２のワイヤレスセンサーネットワークは前記第２の受渡領域を被覆し、
前記第１の自動識別ユニットは、
第１の時刻で前記第１のワイヤレスセンサーネットワークによって検知した前記第１の受渡領域におけるすべての循環利用可能な物流容器のＩＤを第１のＩＤ集合として取得するための第１のＩＤ取得サブユニットと、
第１の時刻よりも後ろの第２の時刻で前記第１のワイヤレスセンサーネットワークによって検知した前記第１の受渡領域におけるすべての循環利用可能な物流容器のＩＤを第２のＩＤ集合として取得するための第２のＩＤ取得サブユニットと、
前記第１のＩＤ集合に対して前記第２のＩＤ集合から減少した循環利用可能な物流容器のＩＤを第１の候補受渡集合とするための第１のＩＤ比較サブユニットと、
をさらに含み、
前記第２の自動識別ユニットは、
第２の時刻よりも後ろの第３の時刻で前記第２のワイヤレスセンサーネットワークによって検知した前記第２の受渡領域におけるすべての循環利用可能な物流容器のＩＤを第３のＩＤ集合として取得するための第３のＩＤ取得サブユニットと、
第３の時刻よりも後ろの第４の時刻で前記第２のワイヤレスセンサーネットワークによって検知した前記第２の受渡領域におけるすべての循環利用可能な物流容器のＩＤを第４のＩＤ集合として取得するための第４のＩＤ取得サブユニットと、
前記第３のＩＤ集合に対して前記第４のＩＤ集合に新たに増加した循環利用可能な物流容器のＩＤを第２の候補受渡集合とするための第２のＩＤ比較サブユニットと
を含む
ことを特徴とする請求項７に記載の循環利用可能な物流容器の受渡システム。
【請求項９】
前記第１の受渡領域の出口には、前記第１の受渡領域から離間する方向に沿って第１および第２のワイヤレスセンサー装置が設けれ、
前記第２の受渡領域の入口には、前記第２の受渡領域に進入する方向に沿って第３および第４のワイヤレスセンサー装置が設けられ、
前記第１の自動識別ユニットは、
前記第１および第２のワイヤレスセンサー装置が相次いで１つの循環利用可能な物流容器のＩＤを検知した場合、当該循環利用可能な物流容器のＩＤが前記第１の受渡領域から離間した循環利用可能な物流容器のＩＤであると判定するための第１の判定サブユニットを含み、
前記第２の自動識別ユニットは、
前記第３および第４のワイヤレスセンサー装置が相次いで１つの循環利用可能な物流容器のＩＤを検知した場合、当該循環利用可能な物流容器のＩＤが前記第２の受渡領域に進入した循環利用可能な物流容器のＩＤであると判定するための第２の判定サブユニットを含む
ことを特徴とする請求項７に記載の循環利用可能な物流容器の受渡システム。
【請求項１０】
荷主に対応するクライアントから送信した、循環利用可能な物流容器の需要数量および荷主の位置情報を少なくとも含むコンテナ配送要求情報を受信するコンテナ配送要求受信ユニットと、
前記コンテナ配送要求情報と整合する３ＰＬ事業者をデータベースから選択するとともに、前記３ＰＬ事業者に対応するクライアントにコンテナ配送通知情報を送信するためのコンテナ配送整合通知ユニットと、
前記３ＰＬ事業者に対応するワイヤレスセンサーネットワークによる前後の２つの時刻での検知結果に基づいて、前記３ＰＬ事業者の受渡領域から離間した循環利用可能な物流容器のＩＤを第３の候補受渡集合として自動的に識別するための第３の自動識別ユニットと、
前記荷主に対応するワイヤレスセンサーネットワークによる前後の２つの時刻での検知結果に基づいて、前記荷主の受渡領域に進入した循環利用可能な物流容器のＩＤを第４の候補受渡集合として自動的に識別するための第４の自動識別ユニットと、
前記第３の候補受渡集合と前記第４の候補受渡集合との積集合を、前記３ＰＬ事業者の受渡領域から前記荷主の受渡領域へのコンテナ配送受渡結果として取得するための第１のコンテナ配送受渡ユニットと、
前記コンテナ配送受渡結果と前記コンテナ配送要求情報とが一致するかを判定し、一致している場合、前記３ＰＬ事業者から前記荷主へのコンテナ配送受渡が完了したと判定するための第１のコンテナ配送受渡判定ユニットと、を備える
ことを特徴とするコンテナ配送管理システム。
【請求項１１】
前記荷主に対応するワイヤレスセンサーネットワークによる前後の２つの時刻での検知結果に基づいて、前記荷主の受渡領域から離間した循環利用可能な物流容器のＩＤを第５の候補受渡集合として自動的に識別するための第５の自動識別ユニットと、
荷受人に対応するワイヤレスセンサーネットワークによる前後の２つの時刻での検知結果に基づいて、前記荷受人の受渡領域に進入した循環利用可能な物流容器のＩＤを第６の候補受渡集合として自動的に識別するための第６の自動識別ユニットと、
前記第５の候補受渡集合と前記第６の候補受渡集合との積集合を、前記荷主の受渡領域から前記荷受人の受渡領域へのコンテナ配送受渡結果として取得するための第２のコンテナ配送受渡ユニットと、
前記荷主の受渡領域から前記荷受人の受渡領域へのコンテナ配送受渡結果と前記コンテナ配送要求情報とが一致するかを判定し、一致している場合、前記荷主から前記荷受人へのコンテナ配送受渡が完了したと判定するための第２のコンテナ配送受渡判定ユニットと、をさらに備える
ことを特徴とする請求項１０に記載のコンテナ配送管理システム。
【請求項１２】
荷受人に対応するクライアントから送信した、循環利用可能な物流容器の返却数量および荷受人の位置情報を少なくとも含むコンテナ返却要求情報を受信するコンテナ返却要求受信ユニットと、
前記コンテナ返却要求情報と整合する３ＰＬ事業者をデータベースから選択するとともに、前記３ＰＬ事業者に対応するクライアントにコンテナ返却通知情報を送信するためのコンテナ返却整合通知ユニットと、
前記荷受人に対応するワイヤレスセンサーネットワークによる前後の２つの時刻での検知結果に基づいて、前記荷受人の受渡領域から離間した循環利用可能な物流容器のＩＤを第７の候補受渡集合として自動的に識別するための第７の自動識別ユニットと、
前記３ＰＬ事業者に対応するワイヤレスセンサーネットワークによる前後の２つの時刻での検知結果に基づいて、前記３ＰＬ事業者の受渡領域に進入した循環利用可能な物流容器のＩＤを第８の候補受渡集合として自動的に識別するための第８の自動識別ユニットと、
前記第７の候補受渡集合と前記第８の候補受渡集合との積集合を、前記荷受人の受渡領域から前記３ＰＬ事業者の受渡領域へのコンテナ返却受渡結果として取得するためのコンテナ返却受渡ユニットと、
前記コンテナ返却受渡結果と前記コンテナ返却要求情報とが一致するかを判定し、一致している場合、コンテナ返却受渡が完了したと判定するためのコンテナ返却受渡判定ユニットと、を備える
ことを特徴とするコンテナ返却管理システム。
【発明の詳細な説明】
【技術分野】
【０００１】
本発明は、物流分野に関し、特に、循環利用可能な物流容器の受渡方法およびシステムに関する。
【背景技術】
【０００２】
現在、市場における循環利用可能な物流容器の使用は、基本的に独立した２つの使用者間での一般的な取引および運送モードに限られており、完備な運送包装システムに対する管理が存在していない。例えば、運送過程において複数の使用者の間での取引および運送が必要となると、点検および受渡には非常に手間がかかり、かつ運送容器の使用率も非常に低くなってしまう。
【発明の開示】
【発明が解決しようとする課題】
【０００３】
本発明は、どの物流容器が第１の受渡領域から第２の受渡領域へ受渡されたかを自動的に判別することができ、特に容器の数量が多い場合に便利化および効率化となり、点検の作業量および時間を大幅に低下させることができる、循環利用可能な物流容器の受渡方法およびシステムを提供することを目的とする。
【課題を解決するための手段】
【０００４】
上記の技術問題を解決するために、本発明の実施形態に係る循環利用可能な物流容器の受渡方法は、各々の循環利用可能な物流容器には、循環利用可能な物流容器のＩＤを少なくとも含む無線信号を送信するための無線ラベルが設けられ、第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、その被覆範囲におけるすべての循環利用可能な物流容器の無線ラベルから送信された無線信号を受信し、かつ、各々のワイヤレスセンサーネットワークは、少なくとも１つのワイヤレスセンサ装置を備えており、第１のワイヤレスセンサーネットワークによる前後の２つの時刻での検知結果に基づいて、第１の受渡領域から離間した循環利用可能な物流容器のＩＤを第１の候補受渡集合として自動的に識別するステップと、第２のワイヤレスセンサーネットワークによる前後の２つの時刻での検知結果に基づいて、第２の受渡領域に進入した循環利用可能な物流容器のＩＤを第２の候補受渡集合として自動的に識別するステップと、第１の候補受渡集合と第２の候補受渡集合との積集合を、第１の受渡領域から第２の受渡領域への受渡結果として取得するステップと、を含む。
【０００５】
本発明の実施形態に係るコンテナ配送管理方法は、
サーバは、荷主に対応するクライアントから送信した、循環利用可能な物流容器の需要数量および荷主の位置情報を少なくとも含むコンテナ配送要求情報を受信するステップと、
サーバは、コンテナ配送要求情報と整合する３ＰＬ事業者をデータベースから選択するとともに、３ＰＬ事業者に対応するクライアントにコンテナ配送通知情報を送信するステップと、
サーバは、３ＰＬ事業者に対応するワイヤレスセンサーネットワークによる前後の２つの時刻での検知結果に基づいて、３ＰＬ事業者の受渡領域から離間した循環利用可能な物流容器のＩＤを第３の候補受渡集合として自動的に識別するステップと、
サーバは、荷主に対応するワイヤレスセンサーネットワークによる前後の２つの時刻での検知結果に基づいて、荷主の受渡領域に進入した循環利用可能な物流容器のＩＤを第４の候補受渡集合として自動的に識別するステップと、
第３の候補受渡集合と第４の候補受渡集合との積集合を、３ＰＬ事業者の受渡領域から荷主の受渡領域へのコンテナ配送受渡結果として取得するステップと、
コンテナ配送受渡結果とコンテナ配送要求情報とが一致するかを判定し、一致している場合、３ＰＬ事業者から荷主へのコンテナ配送受渡が完了したと判定するステップと、を含む。
【０００６】
本発明の実施形態に係るコンテナ返却管理方法は、
サーバは、荷受人に対応するクライアントから送信した、循環利用可能な物流容器の返却数量および荷受人の位置情報を少なくとも含むコンテナ返却要求情報を受信するステップと、
サーバは、コンテナ返却要求情報と整合する３ＰＬ事業者をデータベースから選択するとともに、３ＰＬ事業者に対応するクライアントにコンテナ返却通知情報を送信するステップと、
サーバは、荷受人に対応するワイヤレスセンサーネットワークによる前後の２つの時刻での検知結果に基づいて、荷受人の受渡領域から離間した循環利用可能な物流容器のＩＤを第７の候補受渡集合として自動的に識別するステップと、
サーバは、３ＰＬ事業者に対応するワイヤレスセンサーネットワークによる前後の２つの時刻での検知結果に基づいて、３ＰＬ事業者の受渡領域に進入した循環利用可能な物流容器のＩＤを第８の候補受渡集合として自動的に識別するステップと、
第７の候補受渡集合と第８の候補受渡集合との積集合を、荷受人の受渡領域から３ＰＬ事業者の受渡領域へのコンテナ返却受渡結果として取得するステップと、
コンテナ返却受渡結果とコンテナ返却要求情報とが一致するかを判定し、一致している場合、コンテナ返却受渡が完了したと判定するステップと、を含む。
【０００７】
本発明の実施形態に係る循環利用可能な物流容器の受渡システムは、各々の循環利用可能な物流容器には、循環利用可能な物流容器のＩＤを少なくとも含む無線信号を送信するための無線ラベルが設けられ、第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、その被覆範囲におけるすべての循環利用可能な物流容器の無線ラベルから送信された無線信号を受信し、かつ、各々のワイヤレスセンサーネットワークは、少なくとも１つのワイヤレスセンサ装置を備えている。また、当該受渡システムは、第１のワイヤレスセンサーネットワークによる前後の２つの時刻での検知結果に基づいて、第１の受渡領域から離間した循環利用可能な物流容器のＩＤを第１の候補受渡集合として自動的に識別する第１の自動識別ユニットと、第２のワイヤレスセンサーネットワークによる前後の２つの時刻での検知結果に基づいて、第２の受渡領域に進入した循環利用可能な物流容器のＩＤを第２の候補受渡集合として自動的に識別する第２の自動識別ユニットと、第１の候補受渡集合と第２の候補受渡集合との積集合を、第１の受渡領域から第２の受渡領域への受渡結果として取得する受渡結果判定ユニットと、を備える。
【０００８】
本発明の実施形態に係るコンテナ配送管理システムは、
荷主に対応するクライアントから送信した、循環利用可能な物流容器の需要数量および荷主の位置情報を少なくとも含むコンテナ配送要求情報を受信するコンテナ配送要求受信ユニットと、
コンテナ配送要求情報と整合する３ＰＬ事業者をデータベースから選択するとともに、３ＰＬ事業者に対応するクライアントにコンテナ配送通知情報を送信するためのコンテナ配送整合通知ユニットと、
３ＰＬ事業者に対応するワイヤレスセンサーネットワークによる前後の２つの時刻での検知結果に基づいて、３ＰＬ事業者の受渡領域から離間した循環利用可能な物流容器のＩＤを第３の候補受渡集合として自動的に識別するための第３の自動識別ユニットと、
荷主に対応するワイヤレスセンサーネットワークによる前後の２つの時刻での検知結果に基づいて、荷主の受渡領域に進入した循環利用可能な物流容器のＩＤを第４の候補受渡集合として自動的に識別するための第４の自動識別ユニットと、
第３の候補受渡集合と第４の候補受渡集合との積集合を、３ＰＬ事業者の受渡領域から荷主の受渡領域へのコンテナ配送受渡結果として取得するための第１のコンテナ配送受渡ユニットと、
コンテナ配送受渡結果とコンテナ配送要求情報とが一致するかを判定し、一致している場合、３ＰＬ事業者から前記荷主へのコンテナ配送受渡が完了したと判定するための第１のコンテナ配送受渡判定ユニットと、を備える。
【０００９】
本発明の実施形態に係るコンテナ返却管理システムは、
荷受人に対応するクライアントから送信した、循環利用可能な物流容器の返却数量および荷受人の位置情報を少なくとも含むコンテナ返却要求情報を受信するコンテナ返却要求受信ユニットと、
コンテナ返却要求情報と整合する３ＰＬ事業者をデータベースから選択するとともに、３ＰＬ事業者に対応するクライアントにコンテナ返却通知情報を送信するためのコンテナ返却整合通知ユニットと、
荷受人に対応するワイヤレスセンサーネットワークによる前後の２つの時刻での検知結果に基づいて、荷受人の受渡領域から離間した循環利用可能な物流容器のＩＤを第７の候補受渡集合として自動的に識別するための第７の自動識別ユニットと、
３ＰＬ事業者に対応するワイヤレスセンサーネットワークによる前後の２つの時刻での検知結果に基づいて、３ＰＬ事業者の受渡領域に進入した循環利用可能な物流容器のＩＤを第８の候補受渡集合として自動的に識別するための第８の自動識別ユニットと、
第７の候補受渡集合と第８の候補受渡集合との積集合を、荷受人の受渡領域から３ＰＬ事業者の受渡領域へのコンテナ返却受渡結果として取得するためのコンテナ返却受渡ユニットと、
コンテナ返却受渡結果とコンテナ返却要求情報とが一致するかを判定し、一致している場合、コンテナ返却受渡が完了したと判定するためのコンテナ返却受渡判定ユニットと、を備える。
【発明の効果】
【００１０】
本発明の実施形態は、従来技術と比べて、主に以下のような区別および効果が存在する。
【００１１】
本発明では、どの物流容器が第１の受渡領域から第２の受渡領域へ受渡されたかを自動的に判別することができ、特に循環利用可能な物流容器の数量が多い場合に便利化および効率化となる。
【００１２】
また、受渡方法をコンテナ配送管理方法に応用することにより、３ＰＬ事業者の受渡領域から荷主の受渡領域へのコンテナ配送受渡結果を自動的に判別し、かつコンテナ配送要求情報と一致しているか否かに基づいて３ＰＬ事業者から荷主へのコンテナ配送受渡が完了したか否かを自動的に判定することができる。
【００１３】
さらに、受渡方法をコンテナ返却管理方法に応用することにより、荷受人の受渡領域から３ＰＬ事業者の受渡領域へのコンテナ返却受渡結果を自動的に判別し、かつコンテナ返却要求情報と一致しているか否かに基づいて荷受人から３ＰＬ事業者へのコンテナ返却受渡が完了したか否かを自動的に判定することができる。
【００１４】
さらに、受渡領域には複数のワイヤレスセンサ装置を含むワイヤレスセンサーネットワークが設けられ、ワイヤレスセンサーネットワークの検知範囲は受渡領域全体を被覆し、前後の異なる時刻で受渡領域におけるすべての循環利用可能な物流容器のＩＤを検知して比較することによって、減少または増加した循環利用可能な物流容器のＩＤを取得することにより、受渡領域に対して進出した循環利用可能な物流容器のＩＤを自動的に識別することができる。
【００１５】
さらに、受渡領域には、受渡領域から離間する方向および受渡領域に進入する方向に沿って２つのワイヤレスセンサー装置がそれぞれ設けられており、ワイヤレスセンサー装置の検知範囲は受渡領域の出入口を被覆し、２つのワイヤレスセンサー装置が相次いで循環利用可能な物流容器のＩＤを検知することにより、受渡領域に対して進出した循環利用可能な物流容器のＩＤを自動的に検知することができる。
【図面の簡単な説明】
【００１６】
【図１】本発明の第１の実施形態に係る循環利用可能な物流容器の受渡方法のフローを示すものである。
【図２】本発明の第２の実施形態に係る循環利用可能な物流容器の受渡方法におけるワイヤレスセンサーネットワークの被覆レイアウトを示すものである。
【図３】本発明の第３の実施形態に係る循環利用可能な物流容器の受渡方法におけるワイヤレスセンサーネットワークの出入口レイアウトを示すものである。
【図４】本発明の第５の実施形態に係る循環利用可能な物流容器の実際の使用状態を示すものである。
【図５】本発明の第６の実施形態に係る循環利用可能な物流容器の受渡システムの信号の無線伝送状況を示すものである。
【図６】本発明の第６の実施形態に係る循環利用可能な物流容器の受渡システムの無線ラベルの構造を示すものである。
【図７】本発明の第６の実施形態に係る循環利用可能な物流容器の受渡システムのレーダーモジュールの構造を示すものである。
【図８】本発明の第６の実施形態に係る循環利用可能な物流容器の受渡システムの専用ルーターの構造を示すものである。
【発明を実施するための形態】
【００１７】
以下の説明では、本発明をよく理解できるように多くの技術内容を記載しているが、これらの技術内容および以下の各実施形態に基づいた様々な変更および修正がなくても、本願の特許請求の範囲が保護を請求している技術方案を実現することができることは、当業者にとっては明らかなことである。
【００１８】
また、本発明の目的、技術方案および利点をより明確にするために、以下は、図面を参照して本発明の実施形態をさらに詳細に説明する。
【００１９】
本発明の第１の実施形態は、循環利用可能な物流容器の受渡方法に関するものである。図１は、当該循環利用可能な物流容器の受渡方法のフローを示すものである。
【００２０】
各々の循環利用可能な物流容器には、循環利用可能な物流容器のＩＤを少なくとも含む無線信号を送信するための無線ラベルが設けられる。
【００２１】
第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、その被覆範囲におけるすべての循環利用可能な物流容器の無線ラベルから送信された無線信号を受信し、かつ、各々のワイヤレスセンサーネットワークは、少なくとも１つのワイヤレスセンサ装置を備える。
【００２２】
図１に示すように、当該受渡方法は、以下のステップを含む。すなわち、
ステップ１０１：第１のワイヤレスセンサーネットワークによる前後の２つの時刻での検知結果に基づいて、第１の受渡領域から離間した循環利用可能な物流容器のＩＤを第１の候補受渡集合として自動的に識別する。
【００２３】
ステップ１０２：第２のワイヤレスセンサーネットワークによる前後の２つの時刻での検知結果に基づいて、第２の受渡領域に進入した循環利用可能な物流容器のＩＤを第２の候補受渡集合として自動的に識別する。
【００２４】
ステップ１０３：第１の候補受渡集合と第２の候補受渡集合との積集合を、第１の受渡領域から第２の受渡領域への受渡結果として取得する。
【００２５】
なお、受渡領域とは、例えば荷主、第三方物流（Ｔｈｉｒｄ Ｐａｒｔｙ Ｌｏｇｉｓｔｉｃｓ，３ＰＬ）事業者または荷受人などの循環利用可能な物流容器のすべての使用者およびその他の関係者が所在する領域を意味する。
【００２６】
また、受渡とは、空状態の循環利用可能な物流容器が３ＰＬ事業者から離間して荷主に進入することや、満状態の循環利用可能な物流容器が荷主から離間して荷受人に進入することや、空状態の循環利用可能な物流容器が荷受人から離間して３ＰＬ事業者に進入することなどを含み、この一連のフローにおけるいずれか１つの過程も１つの受渡領域から別の受渡領域への受渡とみなされることができる。
【００２７】
本実施形態では、どの物流容器が第１の受渡領域から第２の受渡領域へ受渡されたかを自動的に判別することができるので、特に循環利用可能な物流容器の数量が多い場合に便利化および効率化となる。
【００２８】
本発明の第２の実施形態は、循環利用可能な物流容器の受渡方法に関するものであり、第２の実施形態は、第１の実施形態を改良したものであり、その主な改良として、受渡領域には複数のワイヤレスセンサ装置を含むワイヤレスセンサ―ネットワークが設けられ、ワイヤレスセンサーネットワークは受渡領域を被覆し、かつ前後の異なる時刻で受渡領域全体におけるすべての循環利用可能な物流容器のＩＤを検知して比較することによって、減少または増加した循環利用可能な物流容器のＩＤを取得することによって、受渡領域に対して進出した循環利用可能な物流容器のＩＤを自動的に識別することができる。
【００２９】
具体的には、図２は、当該循環利用可能な物流容器の受渡方法のワイヤレスセンサーネットワークの被覆レイアウトを示すものである。図示したように、受渡領域には、複数のワイヤレスセンサー装置を含むワイヤレスセンサーネットワークが設けられ、ワイヤレスセンサーネットワークは受渡領域を被覆し、前後の異なる時刻でワイヤレスセンサーネットワークによって検知した受渡領域におけるすべての循環利用可能な物流容器のＩＤを取得して比較することにより、受渡領域に対して進出した循環利用可能な物流容器を識別することができる。
【００３０】
上記ワイヤレスセンサーネットワークの被覆レイアウトを２つの受渡領域にそれぞれ応用させ、第１のワイヤレスセンサーネットワークによって第１の受渡領域が被覆され、第２のワイヤレスセンサーネットワークによって第２の受渡領域が被覆される。
これと対応し、ステップ１０１は、第１の時刻で第１のワイヤレスセンサーネットワークによって検知した第１の受渡領域におけるすべての循環利用可能な物流容器のＩＤを第１のＩＤ集合として取得するサブステップと、第１の時刻よりも後ろの第２の時刻で第１のワイヤレスセンサーネットワークによって検知した第１の受渡領域におけるすべての循環利用可能な物流容器のＩＤを第２のＩＤ集合として取得するサブステップと、第１のＩＤ集合に対して第２のＩＤ集合から減少した循環利用可能な物流容器のＩＤを第１の候補受渡集合とするサブステップと、を含む。
【００３１】
これと対応し、ステップ１０２は、第２の時刻よりも後ろの第３の時刻で第２のワイヤレスセンサーネットワークによって検知した第２の受渡領域におけるすべての循環利用可能な物流容器のＩＤを第３のＩＤ集合として取得するサブステップと、第３の時刻よりも後ろの第４の時刻で第２のワイヤレスセンサーネットワークによって検知した第２の受渡領域におけるすべての循環利用可能な物流容器のＩＤを第４のＩＤ集合として取得するステップと、第３のＩＤ集合に対して第４のＩＤ集合に新たに増加した循環利用可能な物流容器のＩＤを第２の候補受渡集合とするサブステップと、を含む。
【００３２】
なお、受渡領域におけるすべての循環利用可能な物流容器のＩＤを取得する第１の時刻、第２の時刻、第３の時刻および第４の時刻は一定のものではない。１つの好適な例では、ワイヤレスセンサー装置は、すべての循環利用可能な物流容器のＩＤを取得するために、受渡領域におけるすべての循環利用可能な物流容器の無線ラベルから送信された無線信号を周期的（例えば、１分間に１回）に受信することができる。例えば、現在の時刻で取得したＩＤ集合は、１分間前に取得したＩＤ集合に対して新たなＩＤが増加すると、循環利用可能な物流容器の入庫が発生した。逆に、ＩＤが減少すると、循環利用可能な物流容器の出庫が発生した。
【００３３】
また、本実施形態では、受渡領域におけるワイヤレスセンサーネットワークは、複数のワイヤレスセンサー装置を含み、ワイヤレスセンサーネットワークによって受渡領域が被覆されている。なお、ワイヤレスセンサーネットワークにおける各々のワイヤレスセンサー装置の検知範囲は重なり合う場合があり、ワイヤレスセンサーネットワークは、受渡領域におけるすべての循環利用可能な物流容器のＩＤを検知するときに、各々のワイヤレスセンサー装置が検知した、互いに重なり合う循環利用可能な物流容器のＩＤに対して重複排除処理を実施することができる。無論、別例では、ワイヤレスセンサーネットワークは、１つのみのワイヤレスセンサー装置を含んでもよく、ワイヤレスセンサーネットワークの検知範囲は、受渡領域を精確に被覆するものではなく、受渡領域全体よりも大きくなるようにしてもよい。
【００３４】
本発明の第３の実施形態は、循環利用可能な物流容器の受渡方法に関するものである。また、第３の実施形態は、第２の実施形態と基本的に同様であるが、主に、以下の点で異なっている。すなわち、第２の実施形態では、受渡領域には複数のワイヤレスセンサー装置を含むワイヤレスセンサーネットワークが設けられ、第１のワイヤレスセンサーネットワークは第１の受渡領域を被覆し、第２のワイヤレスセンサーネットワークは第２の受渡領域を被覆しているが、第３の実施形態では、第１の受渡領域の出口に、第１の受渡領域から離間する方法に沿って第１および第２のワイヤレスセンサー装置が設けれ、第２の受渡領域の入口に、第２の受渡領域に進入する方向に沿って第３および第４のワイヤレスセンサー装置が設けられている。
【００３５】
また、図３は、当該循環利用可能な物流容器の受渡方法におけるワイヤレスセンサーネットワークの出入口のレイアウトを示すものである。図示したように、受渡領域の出口に受渡領域から離間する方向に沿って、受渡領域の入口に受渡領域に進入する方向に沿って２つのワイヤレスセンサー装置がそれぞれ設けられている。
【００３６】
また、上述したワイヤレスセンサーネットワークの出入口のレイアウトを２つの受渡領域にそれぞれ使用させる場合、第１の受渡領域の出口には、第１の受渡領域から離間する方向に沿って第１および第２のワイヤレスセンサー装置が設けれ、第２の受渡領域の入口には、第２の受渡領域に進入する方向に沿って第３および第４のワイヤレスセンサー装置が設けられている。
【００３７】
これと対応し、第１の実施形態における「第１のワイヤレスセンサーネットワークによる前後の２つの時刻での検知結果に基づいて、第１の受渡領域から離間した循環利用可能な物流容器のＩＤを自動的に識別する」というステップは、第１および第２のワイヤレスセンサー装置が相次いで１つの循環利用可能な物流容器のＩＤを検知した場合、当該循環利用可能な物流容器のＩＤが第１の受渡領域から離間した循環利用可能な物流容器のＩＤであると判定するステップを含む。
【００３８】
これと対応し、第１の実施形態における「第２のワイヤレスセンサーネットワークによる前後の２つの時刻での検知結果に基づいて、第２の受渡領域に進入した循環利用可能な物流容器のＩＤを自動的に識別する」というステップは、第３および第４のワイヤレスセンサー装置が相次いで１つの循環利用可能な物流容器のＩＤを検知した場合、当該循環利用可能な物流容器のＩＤが第２の受渡領域に進入した循環利用可能な物流容器のＩＤであると判定するステップを含む。
【００３９】
なお、第１の受渡領域において第１および第２のワイヤレスセンサー装置が相次いで１つの循環利用可能な物流容器のＩＤを検知し、かつ、その後、第２の受渡領域において第３および第４のワイヤレスセンサー装置が相次いで当該循環利用可能な物流容器のＩＤを検知した場合、当該循環利用可能な物流容器が第１の受渡領域から第２の受渡領域へ受渡されたと判定する。
【００４０】
また、本実施形態では、受渡領域には、受渡領域から離間する方向および受渡領域に進入する方向にそれぞれ２つのワイヤレスセンサー装置が設けられており、２つのワイヤレスセンサー装置が相次いで循環利用可能な物流容器のＩＤを検知すれば、受渡領域に対して進出した循環利用可能な物流容器のＩＤを自動的に検知することができる。
【００４１】
本発明の第４の実施形態は、コンテナ配送管理方法に関するものである。当該コンテナ配送管理方法は、
サーバは、荷主に対応するクライアントから送信した、循環利用可能な物流容器の需要数量および荷主の位置情報を少なくとも含むコンテナ配送要求情報を受信するステップと、
サーバは、コンテナ配送要求情報と整合する３ＰＬ事業者をデータベースから選択するとともに、３ＰＬ事業者に対応するクライアントにコンテナ配送通知情報を送信するステップと、
サーバは、３ＰＬ事業者に対応するワイヤレスセンサーネットワークによる前後の２つの時刻での検知結果に基づいて、３ＰＬ事業者の受渡領域から離間した循環利用可能な物流容器のＩＤを第３の候補受渡集合として自動的に識別するステップと、
サーバは、荷主に対応するワイヤレスセンサーネットワークによる前後の２つの時刻での検知結果に基づいて、荷主の受渡領域に進入した循環利用可能な物流容器のＩＤを第４の候補受渡集合として自動的に識別するステップと、
第３の候補受渡集合と第４の候補受渡集合との積集合を、３ＰＬ事業者の受渡領域から荷主の受渡領域へのコンテナ配送受渡結果として取得するステップと、
コンテナ配送受渡結果とコンテナ配送要求情報とが一致するかを判定し、一致している場合、３ＰＬ事業者から荷主へのコンテナ配送受渡が完了したと判定するステップと、を含む。
【００４２】
なお、コンテナ配送要求情報と整合する３ＰＬ事業者は、３ＰＬ事業者における循環利用可能な物流容器の数量がコンテナ配送要求情報における循環利用可能な物流容器の需要数量以上であり、かつ３ＰＬ事業者の位置とコンテナ配送要求情報における荷主の位置との距離が所定の距離範囲内にあることを意味する。
【００４３】
荷主と３ＰＬ事業者とは、一対一の関係の以外に、以下のような複数の関係を有する。例えば、複数の荷主がコンテナ配送要求を送信し、かつ、これらの荷主がいずれもある３ＰＬ事業者に最も近くかつ当該３ＰＬ事業者は空状態のコンテナを十分に保有している場合、当該３ＰＬ事業者は、複数の荷主に対して複数のフリートを同時に派遣するような関係、または、ある荷主がコンテナ配送要求を送信したが、十分な空状態のコンテナを提供できる３ＰＬ事業者が存在しない場合、サーバは、当該荷主に対して複数の最適な３ＰＬ事業者を提供するような関係などの関係となる場合がある。また、上記の複数対一または一対複数などの関係の以外に、２対３、３対５などの複数対複数の関係となる場合もある。
【００４４】
ある３ＰＬ事業者が複数の荷主に対して循環利用可能な物流容器を提供する場合、当該３ＰＬ事業者から離間したすべての循環利用可能な物流容器の第３の候補受渡集合は、ある荷主に進入した循環利用可能な物流容器の第４の候補受渡集合とは完全に同様ではないが、２つの候補受渡集合の積集合を選択することにより、３ＰＬ事業者から当該荷主への受渡結果を取得することができる。上記のメカニズムにより、複数の荷主が複数の３ＰＬ事業者に対応する場合であっても、混乱を引き起こすことがない。
【００４５】
本実施形態では、第１〜第３の実施形態に係る受渡方法をコンテナ配送管理方法に応用し、３ＰＬ事業者の受渡領域から荷主の受渡領域へのコンテナ配送受渡結果を自動的に判別し、かつコンテナ配送要求情報と一致しているか否かに基づいて３ＰＬ事業者から荷主へのコンテナ配送受渡が完了したか否かを自動的に判定することができる。
【００４６】
また、好ましくは、コンテナ配送要求情報は、荷受人の位置情報をさらに含み、コンテナ配送管理方法は、
サーバは、荷主のワイヤレスセンサーネットワークによる前後の２つの時刻での検知結果に基づいて、荷主の受渡領域から離間した循環利用可能な物流容器のＩＤを第５の候補受渡集合として自動的に識別するステップと、
サーバは、コンテナ配送要求情報における荷受人のワイヤレスセンサーネットワークによる前後の２つの時刻での検知結果に基づいて、荷受人の受渡領域に進入した循環利用可能な物流容器のＩＤを第６の候補受渡集合として自動的に識別するステップと、
第５の候補受渡集合と第６の候補受渡集合との積集合を、荷主の受渡領域から荷受人の受渡領域への受渡結果として取得するステップと、
受渡結果とコンテナ配送要求情報とが一致するかを判定し、一致している場合、荷主から荷受人へのコンテナ受渡が完了したと判定するステップと、をさらに含む。
【００４７】
なお、荷主が複数の荷受人へ出荷しようとする場合、３ＰＬ事業者は、複数の荷受人への供給の運送需要を満足できる数量のフリートを派遣する。これと対応し、コンテナ配送要求情報は、複数の荷受人の位置情報を含み、複数の荷受人のワイヤレスセンサーネットワークが自動的に識別した、それぞれの荷受人の受渡領域に進入した循環利用可能な物流容器のＩＤの第６の候補受渡集合の和集合と、荷主の第５の候補受渡集合との積集合がコンテナ配送要求情報を満足した場合、荷主から荷受人へのコンテナ配送受渡が完了したと判定する。
【００４８】
本発明の第５の実施形態は、コンテナ返却管理方法に関し、当該コンテナ返却管理方法は、
サーバは、荷受人に対応するクライアントから送信した、循環利用可能な物流容器の返却数量および荷受人の位置情報を少なくとも含むコンテナ返却要求情報を受信するステップと、
サーバは、コンテナ返却要求情報と整合する３ＰＬ事業者をデータベースから選択するとともに、３ＰＬ事業者に対応するクライアントにコンテナ返却通知情報を送信するステップと、
サーバは、荷受人に対応するワイヤレスセンサーネットワークによる前後の２つの時刻での検知結果に基づいて、荷受人の受渡領域から離間した循環利用可能な物流容器のＩＤを第７の候補受渡集合として自動的に識別するステップと、
サーバは、３ＰＬ事業者に対応するワイヤレスセンサーネットワークによる前後の２つの時刻での検知結果に基づいて、３ＰＬ事業者の受渡領域に進入した循環利用可能な物流容器のＩＤを第８の候補受渡集合として自動的に識別するステップと、
第７の候補受渡集合と第８の候補受渡集合との積集合を、荷受人の受渡領域から３ＰＬ事業者の受渡領域へのコンテナ返却受渡結果として取得するステップと、
コンテナ返却受渡結果とコンテナ返却要求情報とが一致するかを判定し、一致している場合、コンテナ返却受渡が完了したと判定するステップと、を含む。
【００４９】
また、本実施形態では、第１〜第３の実施形態に係る受渡方法をコンテナ返却管理方法に応用し、荷受人の受渡領域から３ＰＬ事業者の受渡領域へのコンテナ返却受渡結果を自動的に判別し、かつコンテナ返却要求情報と一致しているか否かに基づいて荷受人から３ＰＬ事業者へのコンテナ返却受渡が完了したか否かを自動的に判定することができる。
【００５０】
なお、コンテナ返却の時にも上記のような複数対複数の場合がある。例えば、複数の荷受人がコンテナ返却要求を送信し、かつ、これらの荷受人がいずれもある３ＰＬ事業者に最も近くかつ当該３ＰＬ事業者には貯蔵空間が十分に存在している場合、当該３ＰＬ事業者は、複数の荷受人に対して複数のフリートを同時に派遣することや、ある荷受人がコンテナ返却要求を送信したが、返却するコンテナの貯蔵に十分な空間を提供できる３ＰＬ事業者が存在しない場合、サーバは、当該荷受人に対して複数の最適な３ＰＬ事業者を提供することがある。また、上記の複数対一または一対複数などの関係の以外に、２対３、３対５などの複数対複数の関係となる場合もある。
【００５１】
また、１つの好適な実施例では、上記の第４の実施形態に係るコンテナ配送管理方法と第５の実施形態に係るコンテナ返却管理方法とを組み合わせており、循環利用可能な物流容器の実際の使用状況を図４に示す。
【００５２】
図４に示すように、循環利用可能な物流容器の使用者は、荷主、３ＰＬ事業者および荷受人を含み、そのうち、３ＰＬ事業者は、荷主が出荷するときに使用する空状態の循環利用可能な物流容器を貯蔵しており、荷主は、循環利用可能な物流容器を使用して貨物を積んだ後に荷受人へ出荷し、荷受人は、満状態の循環利用可能な物流容器を受け入れて貨物を降ろした後にコンテナを３ＰＬ事業者に返却させる。
【００５３】
荷主、３ＰＬ事業者および荷受人はそれぞれ対応する受渡領域を有し、各々の受渡領域には、例えば第１の実施形態〜第３の実施形態のいずれかにおけるワイヤレスセンサーネットワークが予め設けられている。ワイヤレスセンサーネットワークは、このワイヤレスセンサーネットワークの被覆範囲における循環利用可能な物流容器の無線ラベルから送信された無線信号を受信するためのものであり、各々のワイヤレスセンサーネットワークは、少なくとも１つのワイヤレスセンサ装置を備える。
【００５４】
上記のコンテナ配送管理方法とコンテナ返却管理方法とを組み合わせることにより、完全な運送包装システムの管理方法を形成することができ、複数の使用者間の取引および運送管理に適用することができる。その具体的なフローは、以下のとおりである。
【００５５】
まず、荷主が出荷する必要があると、パソコンまたは携帯電話などの機器からサーバに出荷要求（時間、貨物の数量、荷受人の情報）を送信し、サーバは、物流容器の分布および状態を分析して最近または最適な３ＰＬ事業者を選択して、出荷情報を当該３ＰＬ事業者に転送させる。
【００５６】
次に、サーバは、空状態の循環利用可能な物流容器が３ＰＬ事業者から離間した前後の２つの時刻でレーダーによって検知されたＩＤに基づいて、３ＰＬ事業者から離間した循環利用可能な物流容器のＩＤを第３の候補受渡集合として自動的に識別する。
【００５７】
そして、サーバは、空状態の循環利用可能な物流容器が荷主に進入した前後の２つの時刻でレーダーによって検知されたＩＤに基づいて、荷主に進入した循環利用可能な物流容器のＩＤを第４の候補受渡集合として自動的に識別する。
【００５８】
そして、荷主に進入した空状態の循環利用可能な物流容器は、貨物を積んだ後に荷主から離間し、サーバは、満状態となった循環利用可能な物流容器が荷主から離間した前後の２つの時刻でレーダーによって検知されたＩＤに基づいて、荷主から離間した循環利用可能な物流容器のＩＤを第５の候補受渡集合として自動的に識別する。
【００５９】
次に、サーバは、満状態となった循環利用可能な物流容器が荷受人に進入した前後の２つの時刻でレーダーによって検知されたＩＤに基づいて、荷受人に進入した循環利用可能な物流容器のＩＤを第６の候補受渡集合として自動的に識別する。
【００６０】
そして、サーバは、上記のように識別した第３の候補受渡集合と第４の候補受渡集合との積集合、および第５の候補受渡集合と第６の候補受渡集合との積集合がそれぞれ出荷要求と一致しているかを分析することにより、実際の運送時の運送数量が出荷要求を満足したか否かを判定する。
【００６１】
出荷要求と実際の運送時の運送数量とが一致していると確認された後、荷受人は、貨物を降ろすフローに進入し、貨物を降ろした後、荷受人は、サーバへコンテナ返却要求を送信し、サーバは、物流容器の分布および状態を分析して最近または最適な３ＰＬ事業者を選択するとともに、コンテナ返却情報を当該３ＰＬ事業者に転送させる。
【００６２】
サーバは、空状態の循環利用可能な物流容器が荷受人から離間した前後の２つの時刻でレーダーによって検知されたＩＤに基づいて、荷受人から離間した循環利用可能な物流容器のＩＤを第７の候補受渡集合として自動的に識別する。
【００６３】
また、サーバは、空状態の循環利用可能な物流容器が３ＰＬ事業者に進入した前後の２つの時刻でレーダーによって検知されたＩＤに基づいて、３ＰＬ事業者に進入した循環利用可能な物流容器のＩＤを第８の候補受渡集合として自動的に識別する。
【００６４】
そして、サーバは、上記のように識別した第５の候補受渡集合と第６の候補受渡集合との積集合が返却要求と一致しているかを分析することにより、実際の運送時の運送数量が返却要求を満足するか否かを判定する。
【００６５】
上記の方法のフローにおける前記荷主、荷受人および３ＰＬ事業者はいずれも複数存在してもよい。例えば、
１．複数の荷主が要求を送信し、かつ、これらの荷主がいずれもある３ＰＬ事業者に最も近くかつ当該３ＰＬ事業者は空状態のコンテナを十分に保有している場合、当該３ＰＬ事業者は、複数の荷主に対して複数のフリートを同時に派遣する。
【００６６】
２．ある荷主が要求を送信したが、十分な空状態のコンテナを提供できる３ＰＬ事業者が存在しない場合、サーバは、当該荷主に対して複数の最適な３ＰＬ事業者を提供する。
【００６７】
３．上記の複数対一または一対複数などの関係の以外に、２対３、３対５などの複数対複数の関係となる場合もある。
【００６８】
４．荷主が複数の荷受人へ出荷しようとする場合、複数の３ＰＬ事業者は、運送要求を満足できる数量のフリートを同時に派遣する。
【００６９】
５．コンテナ返却の時にも上記のようなことがあるが、ここではその説明を省略する。
【００７０】
以上により、一種の完全な運送包装システムの管理方法が形成され、登録体制により受渡の安全性を保証することができる。また、物流容器におけるラベル、使用者の場所に設けられるレーダー、ルーターおよびサーバにより、運送および使用のフローの全体に対して追従および確認を行うことにより、ペーパーレス化、ロット化した受渡実施モードを実現することができる。
【００７１】
本発明では、以下のような有益な効果を達成できる。
【００７２】
１．全ての統計作業はシステムによって自動的に行われるので、循環利用可能な物流容器の使用状況および数量の点検にかかる作業量および時間を大幅に低下させることができる。
【００７３】
２．物流容器のアイドル時間を少なくし、使用率を大幅に向上させることができる。
【００７４】
３．情報の信頼性および精確性を向上させることができる。
【００７５】
４．従来のポイントツーポイント操作をポイントツープレーン（ｐｏｉｎｔ-ｔｏ-ｐｌａｎｅ）操作に変化させることにより、物流過程の全体をシステム化、統一化させることができる。
【００７６】
５．従来の受渡モードをペーパーレス化、ロッド化させた受渡システムを提供することができる。
【００７７】
本発明の各々の方法についての実施形態は、ソフトウエア、ハードウエア、ファームウエアなどの方式によって実現することができる。本発明は、ソフトウエア、ハードウエア、ファームウエアのうちのいずれかによって実現しても、指令コードは如何なる類型のコンピュータがアクセス可能なメモリー（例えば、永続的または修正可能なメモリー、揮発性または不揮発性のメモリー、固体的または非固体的なメモリー、固定的または変換可能な媒体など）に記憶することができる。同様に、メモリーは、例えばＰＡＬ（Ｐｒｏｇｒａｍｍａｂｌｅ Ａｒｒａｙ Ｌｏｇｉｃ）、ＲＡＭ（Ｒａｎｄｏｍ Ａｃｃｅｓｓ Ｍｅｍｏｒｙ）、ＰＲＯＭ（Ｐｒｏｇｒａｍｍａｂｌｅ Ｒｅａｄ Ｏｎｌｙ Ｍｅｍｏｒｙ）、ＲＯＭ（Ｒｅａｄ-Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ ＲＯＭ）、磁気ディスク、レーザーディスク(登録商標)、ＤＶＤ（Ｄｉｇｉｔａｌ Ｖｅｒｓａｔｉｌｅ Ｄｉｓｃ）などとしてもよい。
【００７８】
本発明の第６の実施形態は、循環利用可能な物流容器の受渡システムに関するものであり、各々の循環利用可能な物流容器には、循環利用可能な物流容器のＩＤを少なくとも含む無線信号を送信するための無線ラベルが設けられる。
【００７９】
第１の受渡領域には、第１のワイヤレスセンサーネットワークが予め設けられ、第２の受渡領域には、第２のワイヤレスセンサーネットワークが予め設けられ、そのうち、ワイヤレスセンサーネットワークは、このワイヤレスセンサーネットワークの被覆範囲におけるすべての循環利用可能な物流容器の無線ラベルから送信された無線信号を受信するためのものであり、各々のワイヤレスセンサーネットワークは、少なくとも１つのワイヤレスセンサ装置を備える。
【００８０】
また、受渡システムは、第１のワイヤレスセンサーネットワークによる前後の２つの時刻での検知結果に基づいて、第１の受渡領域から離間した循環利用可能な物流容器のＩＤを第１の候補受渡集合として自動的に識別する第１の自動識別ユニットと、第２のワイヤレスセンサーネットワークによる前後の２つの時刻での検知結果に基づいて、第２の受渡領域に進入した循環利用可能な物流容器のＩＤを第２の候補受渡集合として自動的に識別する第２の自動識別ユニットと、第１の候補受渡集合と第２の候補受渡集合との積集合を、第１の受渡領域から第２の受渡領域への受渡結果として取得する受渡結果判定ユニットと、を備える。
【００８１】
本実施形態では、どの物流容器が第１の受渡領域から第２の受渡領域へ受渡されたかを自動的に判別することができるので、循環利用可能な物流容器の数量が多い場合に特に便利化および効率化となる。
【００８２】
上記の実施形態を実現するための具体的な技術方案は、ワイヤレスセンサーネットワークがどのようにして受渡領域における循環利用可能な物流容器のＩＤを識別してサーバにアップロードするかに関するものであり、図５は、循環利用可能な物流容器の受渡システムの信号無線伝送を示すものである。
【００８３】
図５に示すように、すべての循環利用可能な物流容器には、その自体のラベルのＩＤ、状態データを周期的に無線にて送信可能なラベルモジュールが内蔵されている。
【００８４】
また、レーダーモジュールは、独立した電子機器であって、使用者に配置される監視機器であり、その走査領域内の無線信号を周期的に走査するとともに、受信したラベルに基づいてデータフレームを送信するものである。
【００８５】
専用ルーターは、レーダーモジュールに無線的に接続され、完全な網状ネットを構成することにより、システム全体によって倉庫空間をシームレスに監視するためのものである。
【００８６】
レーダーは、使用者のプラント全体を被覆し、プラントに対して循環利用可能な物流容器の進出が発生すると、レーダーは、このことを検知してソフト算法によってサーバに統計運算およびフィードバックを行う。
【００８７】
全ての物流容器の使用者およびそれと関連するすべてのユーザーは、いずれも現場に循環利用可能な物流容器に対してレーダーが実装され、レーダーは、現在では検知した物流容器の情報を専用ルーターを介してサーバに随時/即時にアップロードすることができるので、すべての使用者は運送受渡の時に物流容器の状態データを提供することができる。
【００８８】
図６〜図８は、受渡システムにおける信号を無線伝送するための各々のモジュールの電気的構成を示すものである。
【００８９】
図６は、無線ラベルの構造を示すものであり、無線ラベルは、ＣＰＵ（Ｃｅｎｔｒａｌ Ｐｒｏｃｅｓｓｉｎｇ Ｕｎｉｔ）１０１と、内部メモリー１０２と、プログラムメモリー１０３と、無線送受信機１０４と、コンテナ類別回路１０５と、コンテナ状態回路１０６と、電池およびその給電モジュール１０７とによって構成され、ラベルシステムは、例えばＴｉｎｙＯＳなどのＲＴＯＳオペレーティングシステムを使用することができる。
【００９０】
そのうち、ＣＰＵ１０１は、通常、８０５１ ＳＣＭ（Ｓｉｎｇｌｅ Ｃｈｉｐ Ｍｉｃｒｏｃｏｍｐｕｔｅｒ）、３２Ｂｉｔ  ＲＩＳＣまたはＣｏｒｔｅｘ-Ｍ３によって実現される。内部メモリー１０２は、プログラムが実行する一時的データ、変量、データ構造を記憶するためのものである。プログラムメモリー１０３は、システムの正常な動作に必要なプログラムを記憶するためのものである。無線送受信機１０４は、３１５ＭＨｚ、４３３ＭＨｚ、８００ＭＨｚ、９００ＭＨｚ、２.４ＧＨｚに動作できる無線送受信部材である。コンテナ類別回路１０５は、製造時に異なる用途を区別するために設けられる回路である。コンテナ状態回路１０６は、システムによってコンテナが空の折り畳み状態かまたは満の開放状態かを監視するための回路である。電池およびその給電モジュール１０７は、電池によって電源を提供するとともに低電力損失制御を実現することにより、システムを長時期に亘って効率よく動作させるための回路である。
【００９１】
図７は、レーダーモジュールの構造を示すものであり、レーダーモジュールは、無線読取ヘッドサブシステム２０５と、Ｚｉｇｂｅｅ（登録商標）ノードサブシステム２１０と、電池およびその給電モジュール２１１とによって構成される。無線読取ヘッドサブシステム２０５とＺｉｇｂｅｅノードサブシステム２１０とは、ＵＡＲＴによって情報交換を行う。
【００９２】
そのうち、無線読取ヘッドサブシステム２０５は、現地のラベルを走査するとともにラベルから送信した情報フレームを受信するためのものである。無線読取ヘッドサブシステム２０５は、ＣＰＵ２０１と、内部メモリー２０２と、プログラムメモリー２０３と、無線送受信機２０４によって構成される。ＣＰＵ２０１は、通常、８０５１  ＳＣＭ（Ｓｉｎｇｌｅ Ｃｈｉｐ Ｍｉｃｒｏｃｏｍｐｕｔｅｒ）、３２Ｂｉｔ  ＲＩＳＣまたはＣｏｒｔｅｘ-Ｍ３によって実現される。内部メモリー２０２は、ラベル読取ヘッドサブシステム２０５のプログラムが実行する一時的データ、変量、データ構造を記憶するためのものである。プログラムメモリー２０３は、ラベル読取ヘッドサブシステム２０５の正常な動作に必要なプログラムを記憶するためのものである。無線送受信機２０４は、３１５ＭＨｚ、４３３ＭＨｚ、８００ＭＨｚ、９００ＭＨｚ、２.４ＧＨｚに動作できる無線送受信部材である。また、ラベル読取ヘッドサブシステム２０５は、例えばＴｉｎｙＯＳなどのＲＴＯＳオペレーティングシステムを使用することができる。
【００９３】
また、Ｚｉｇｂｅｅノードサブシステム２１０は、ＣＰＵ２０６と、内部メモリー２０７と、プログラムメモリー２０８と、Ｚｉｇｂｅｅ送受信機２０９によって構成される。ＣＰＵ２１０は、通常、５１  ＳＣＭ（Ｓｉｎｇｌｅ Ｃｈｉｐ Ｍｉｃｒｏｃｏｍｐｕｔｅｒ）、３２Ｂｉｔ  ＲＩＳＣプロセッサ、ＡＲＭ  Cortex-Ｍ３などのプロセッサーコアとすることができる。また、Ｚｉｇｂｅｅノードサブシステム２１０は、通常、例えばＴｉｎｙＯＳなどのＲＴＯＳオペレーティングシステムを使用することができる。内部メモリー２０７は、Ｚｉｇｂｅｅノードサブシステム２１０がデータ構造、変量などの要素を一時的に記憶するためのものである。プログラムメモリー２０８は、Ｚｉｇｂｅｅノードサブシステム２１０の正常な動作に必要なプログラムを記憶するためのものである。Ｚｉｇｂｅｅ送受信機２０９は、２.４ＧＨｚに動作するとともにＺｉｇｂｅｅプロトコルを支持する無線送受信モジュールである。Ｚｉｇｂｅｅノードサブシステム２１０は、ＩＥＥＥ８０２.１５.４プロトコルスタック、Ｚｉｇｂｅｅリンク/ルータープログラムを使用するとともに、Ｚｉｇｂｅｅネットワークのノードを担当するものである。
【００９４】
また、電池およびその給電モジュール２１１は、電池によって電源を提供するとともに低電力損失制御を実現することにより、システムを長時期に亘って効率的に動作させるための回路である。
【００９５】
図８は、専用ルーターの構造を示すものであり、ルーターは、電源給電モジュール３１２と、Ｚｉｇｂｅｅ  Ｃｏｏｒｄｉｎａｔｏｒサブシステム３０５と、ルーターサブシステム３１１によって構成される。
【００９６】
そのうち、Ｚｉｇｂｅｅ  Ｃｏｏｒｄｉｎａｔｏｒサブシステム３０５は、ＣＰＵ３０１と、内部メモリー３０４と、プログラムメモリー３０３と、Ｚｉｇｂｅｅ送受信機３０４によって構成される。ＣＰＵ３０１は、通常、５１ＳＣＭ（Ｓｉｎｇｌｅ Ｃｈｉｐ Ｍｉｃｒｏｃｏｍｐｕｔｅｒ）、３２Ｂｉｔ  ＲＩＳＣプロセッサ、ＡＲＭ  Ｃｏｒｔｅｘ-Ｍ３などのプロセッサーコアとすることができ、例えばＴｉｎｙＯＳなどの小型化ＲＴＯＳオペレーティングシステムを使用することができる。内部メモリー３０２は、このサブシステムがデータ構造、変量などの要素を一時的に記憶するためのものである。プログラムメモリー３０３は、Ｚｉｇｂｅｅ  Ｃｏｏｒｄｉｎａｔｏｒサブシステムの正常な動作に必要なプログラムを記憶するためのものである。Ｚｉｇｂｅｅ送受信機は、２.４ＧＨｚに動作するとともにＺｉｇｂｅｅプロトコルを支持する無線送受信モジュールである。Ｚｉｇｂｅｅ  Ｃｏｏｒｄｉｎａｔｏｒサブシステム３０５は、ＩＥＥＥ８０２.１５.４プロトコルスタック、Ｚｉｇｂｅｅリンク/ルータープログラムを使用するとともに、Ｚｉｇｂｅｅネットワークのコーディネーターを担当し、その他のノードのそれぞれを当該コーディネーターにアクセスさせることができる。
【００９７】
ルーターサブシステム３１１は、ＣＰＵ３０６と、内部メモリー３０７と、プログラムメモリー３０８と、ＷｉＦｉ/１０Ｍ/１００Ｍ  ３０９と、３Ｇ/ＧＰＲＳ  ３１０などの部分によって構成される。ＣＰＵ３０６は、Ｃｏｒｔｅｘ-Ａ８、Ｃｏｒｔｅｘ-Ａ９などのプロセッサーによって構成される。内部メモリー３０７は、システムの動作に必要な一時的データを記憶するためのものである。プログラムメモリー３０８は、ルーターサブシステム３１１の正常な動作に必要なプログラムを記憶するためのものである。ＷｉＦｉ/１０Ｍ/１００Ｍ  ３０９は、ローカルネットワークへアクセスするための部分であり、そのうち、ＷｉＦｉは、ＩＥＥＥ８０２．１１ｂ/ｇ/ｎを支持することができ、有線インタネットは、１０Ｍ/１００Ｍ自己適応モードを支持する。３Ｇ/ＧＰＲＳ  ３１０は、無線データネットワークへアクセスするためのであり、２ＧのＧＰＲＳネットワークであってもよく、ＣＤＭＡ２０００、ＷＣＤＭＡ(登録商標)またはＴＤ-ＳＣＤＭＡなどの３Ｇネットワークであってもよい。ルーターサブシステム３１１が使用するオペレーティングシステムはＬｉｎｕｘ(登録商標)オペレーティングシステムまたはＬｉｎｕｘ(登録商標)のあるバージョン、例えばＵｂｕｎｔｕ  Ｓｅｒｖｅｒ、またはＯｐｅｎ-ＷＲＴなどとすることができる。
【００９８】
Ｚｉｇｂｅｅ  Ｃｏｏｒｄｉｎａｔｏｒサブシステム３０５とルーターサブシステム  ３１１とは、ＵＡＲＴなどの通信リンクによって互いに情報交換を行うことができる。
【００９９】
電源給電モジュール３１２は、通常、システムに必要な各種の電源の供給を実現できるように、商用電源２２０Ｖ  ＡＣに接続してもよく、また、１２Ｖ  ＤＣなどの直流電源に接続してもよい。
【０１００】
また、第１の実施形態は、本実施形態と対応する方法に関する実施形態であり、本実施形態は、第１の実施形態と組み合わせて実施することができる。第１の実施形態に係る技術内容は、本実施形態においても有効なものであるので、ここでは重複な説明を省略する。これと対応し、本実施形態における技術内容を第１の実施形態に応用することもできる。
【０１０１】
本発明の第７の実施形態は、循環利用可能な物流容器の受渡システムに関するものである。また、第７の実施形態は、第６の実施形態を改良したものであり、主に、受渡領域には複数のワイヤレスセンサ装置を含むワイヤレスセンサ―ネットワークが設けられ、ワイヤレスセンサーネットワークの検知範囲は受渡領域を被覆し、前後の異なる時刻で受渡領域におけるすべての循環利用可能な物流容器のＩＤを検知して比較することによって、減少または増加した循環利用可能な物流容器のＩＤを取得することにより、受渡領域に対して進出した循環利用可能な物流容器のＩＤを自動的に識別することができるという点で異なっている。
【０１０２】
具体的には、第１のワイヤレスセンサーネットワークは第１の受渡領域を被覆し、第２のワイヤレスセンサーネットワークは第２の受渡領域を被覆する。
また、第１の自動識別ユニットは、第１の時刻で第１のワイヤレスセンサーネットワークによって検知した第１の受渡領域におけるすべての循環利用可能な物流容器のＩＤを第１のＩＤ集合として取得するための第１のＩＤ取得サブユニットと、第１の時刻よりも後ろの第２の時刻で第１のワイヤレスセンサーネットワークによって検知した第１の受渡領域におけるすべての循環利用可能な物流容器のＩＤを第２のＩＤ集合として取得するための第２のＩＤ取得サブユニットと、第１のＩＤ集合に対して第２のＩＤ集合から減少した循環利用可能な物流容器のＩＤを第１の候補受渡集合とするための第１のＩＤ比較サブユニットなどのサブユニットを含む。
【０１０３】
また、第２の自動識別ユニットは、第２の時刻よりも後ろの第３の時刻で第２のワイヤレスセンサーネットワークによって検知した第２の受渡領域におけるすべての循環利用可能な物流容器のＩＤを第３のＩＤ集合として取得するための第３のＩＤ取得サブユニットと、第３の時刻よりも後ろの第４の時刻で第２のワイヤレスセンサーネットワークによって検知した第２の受渡領域におけるすべての循環利用可能な物流容器のＩＤを第４のＩＤ集合として取得するための第４のＩＤ取得サブユニットと、第３のＩＤ集合に対して第４のＩＤ集合に新たに増加した循環利用可能な物流容器のＩＤを第２の候補受渡集合とするための第２のＩＤ比較サブユニットなどのサブユニットを含む。
【０１０４】
また、第２の実施形態は、本実施形態と対応する方法に関する実施形態であり、本実施形態は、第２の実施形態と組み合わせて実施することができる。第２の実施形態に係る技術内容は、本実施形態においても有効なものであるので、ここでは重複な説明を省略する。これと対応し、本実施形態における技術内容を第２の実施形態に応用することもできる。
【０１０５】
本発明の第８の実施形態は、循環利用可能な物流容器の受渡システムに関するものである。また、第８の実施形態は、第７の実施形態と基本的に同様であるが、主に、以下の点で異なっている。すなわち、第７の実施形態では、受渡領域には複数のワイヤレスセンサー装置を含むワイヤレスセンサーネットワークが設けられ、第１のワイヤレスセンサーネットワークは第１の受渡領域を被覆し、第２のワイヤレスセンサーネットワークが第２の受渡領域を被覆しているが、本実施形態では、第１の受渡領域の出口に、第１の受渡領域から離間する方向に沿って第１および第２のワイヤレスセンサー装置が設けれ、第２の受渡領域の入口に、第２の受渡領域に進入する方向に沿って第３および第４のワイヤレスセンサー装置が設けられている。
【０１０６】
これと対応し、第６の実施形態における第１の自動識別ユニットは、第１および第２のワイヤレスセンサー装置が相次いで１つの循環利用可能な物流容器のＩＤを検知した場合、当該循環利用可能な物流容器のＩＤが第１の受渡領域から離間した循環利用可能な物流容器のＩＤであると判定するための第１の判定サブユニットを含む。
【０１０７】
これと対応し、第６の実施形態における第２の自動識別ユニットは、第３および第４のワイヤレスセンサー装置が相次いで１つの循環利用可能な物流容器のＩＤを検知した場合、当該循環利用可能な物流容器のＩＤが第２の受渡領域に進入した循環利用可能な物流容器のＩＤであると判定するための第２の判定サブユニットを含む。
【０１０８】
また、本実施形態では、受渡領域には、受渡領域から離間する方向および受渡領域に進入する方向にそれぞれ２つのワイヤレスセンサー装置が設けられており、ワイヤレスセンサー装置の検知範囲は出入口を被覆し、２つのワイヤレスセンサー装置が相次いで循環利用可能な物流容器のＩＤを検知することにより、受渡領域に対して進出した循環利用可能な物流容器のＩＤを自動的に検知することができる。
【０１０９】
また、第３の実施形態は、本実施形態と対応する方法に関する実施形態であり、本実施形態は、第３の実施形態と組み合わせて実施することができる。第３の実施形態に係る技術内容は、本実施形態においても有効なものであるので、ここでは重複な説明を省略する。これと対応し、本実施形態における技術内容を第３の実施形態に応用することもできる。
【０１１０】
さらに、本発明の第９の実施形態は、コンテナ配送管理システムに関するものである。当該コンテナ配送管理システムは、荷主に対応するクライアントから送信した、循環利用可能な物流容器の需要数量および荷主の位置情報を少なくとも含むコンテナ配送要求情報を受信するコンテナ配送要求受信ユニットと、コンテナ配送要求情報と整合する３ＰＬ事業者をデータベースから選択するとともに、３ＰＬ事業者に対応するクライアントにコンテナ配送通知情報を送信するためのコンテナ配送整合通知ユニットと、３ＰＬ事業者に対応するワイヤレスセンサーネットワークによる前後の２つの時刻での検知結果に基づいて、３ＰＬ事業者の受渡領域から離間した循環利用可能な物流容器のＩＤを第３の候補受渡集合として自動的に識別するための第３の自動識別ユニットと、荷主に対応するワイヤレスセンサーネットワークによる前後の２つの時刻での検知結果に基づいて、荷主の受渡領域に進入した循環利用可能な物流容器のＩＤを第４の候補受渡集合として自動的に識別するための第４の自動識別ユニットと、第３の候補受渡集合と第４の候補受渡集合との積集合を、３ＰＬ事業者の受渡領域から荷主の受渡領域へのコンテナ配送受渡結果として取得するための第１のコンテナ配送受渡ユニットと、コンテナ配送受渡結果とコンテナ配送要求情報とが一致するかを判定し、一致している場合、３ＰＬ事業者から荷主へのコンテナ受渡が完了したと判定するための第１のコンテナ配送受渡判定ユニットと、を備える。
【０１１１】
また、荷主に対応するワイヤレスセンサーネットワークによる前後の２つの時刻での検知結果に基づいて、荷主の受渡領域から離間した循環利用可能な物流容器のＩＤを第５の候補受渡集合として自動的に識別するための第５の自動識別ユニットと、荷受人に対応するワイヤレスセンサーネットワークによる前後の２つの時刻での検知結果に基づいて、荷受人の受渡領域に進入した循環利用可能な物流容器のＩＤを第６の候補受渡集合として自動的に識別するための第６の自動識別ユニットと、第５の候補受渡集合と第６の候補受渡集合との積集合を、荷主の受渡領域から荷受人の受渡領域へのコンテナ配送受渡結果として取得するための第２のコンテナ配送受渡ユニットと、荷主の受渡領域から荷受人の受渡領域へのコンテナ配送受渡結果とコンテナ配送要求情報とが一致するかを判定し、一致している場合、荷主から荷受人へのコンテナ配送受渡が完了したと判定するための第２のコンテナ配送受渡判定ユニットと、をさらに備えることが好ましい。
【０１１２】
また、第４の実施形態は、本実施形態と対応する方法に関する実施形態であり、本実施形態は、第４の実施形態と組み合わせて実施することができる。第４の実施形態に係る技術内容は、本実施形態においても有効なものであるので、ここでは重複な説明を省略する。これと対応し、本実施形態における技術内容を第４の実施形態に応用することもできる。
【０１１３】
また、本発明の第１０の実施形態は、コンテナ返却管理システムに関するものである。当該コンテナ返却管理システムは、荷受人に対応するクライアントから送信した、循環利用可能な物流容器の返却数量および荷受人の位置情報を少なくとも含むコンテナ返却要求情報を受信するコンテナ返却要求受信ユニットと、コンテナ返却要求情報と整合する３ＰＬ事業者をデータベースから選択するとともに、３ＰＬ事業者に対応するクライアントにコンテナ返却通知情報を送信するためのコンテナ返却整合通知ユニットと、荷受人に対応するワイヤレスセンサーネットワークによる前後の２つの時刻での検知結果に基づいて、荷受人の受渡領域から離間した循環利用可能な物流容器のＩＤを第７の候補受渡集合として自動的に識別するための第７の自動識別ユニットと、３ＰＬ事業者に対応するワイヤレスセンサーネットワークによる前後の２つの時刻での検知結果に基づいて、３ＰＬ事業者の受渡領域に進入した循環利用可能な物流容器のＩＤを第８の候補受渡集合として自動的に識別するための第８の自動識別ユニットと、第７の候補受渡集合と第８の候補受渡集合との積集合を、荷受人の受渡領域から３ＰＬ事業者の受渡領域へのコンテナ返却受渡結果として取得するためのコンテナ返却受渡ユニットと、コンテナ返却受渡結果とコンテナ返却要求情報とが一致するかを判定し、一致している場合、コンテナ返却受渡が完了したと判定するためのコンテナ返却受渡判定ユニットと、を備える。
【０１１４】
また、第５の実施形態は、本実施形態と対応する方法に関する実施形態であり、本実施形態は、第５の実施形態と組み合わせて実施することができる。第５の実施形態に係る技術内容は、本実施形態においても有効なものであるので、ここでは重複な説明を省略する。これと対応し、本実施形態における技術内容を第５の実施形態に応用することもできる。
【０１１５】
なお、本発明の各機器の実施形態における各ユニットは、論理ユニットであり、物理上、１つの論理ユニットは１つの物理ユニットであってもよく、１つの物理ユニットの一部であってもよく、複数の物理ユニットを組み合わせることによって実現されてもよい。そして、これらの論理ユニットの物理的な実現方式は最も重要なものではなく、これらの論理ユニットによって実現できる機能の組み合わせは、本発明で提出した技術問題を解決するために重要なものである。また、本発明の新規部分を際立たせるために、本発明の上記各機器の実施形態では、本発明が解決しようとする技術問題とは特に関係がないユニットを説明していないが、上記各機器の実施形態にはその他のユニットが存在しないと理解すべきわけではない。
【０１１６】
なお、本願の特許請求の範囲および明細書では、例えば第１および第２などのような関係を示す技術用語は、１つの実体または操作と別の実体または操作とを区別するためのものに過ぎなく、これらの実体または操作の間にこのような実際の関係または順番が存在するわけではない。そして、「含む」、「備える」またはそのほかの変更は、非排他的な包含的な意味をいい、一連の要素の過程、方法、物品または機器はこれらの要素のみを含むことではなく、明確に記載されていないその他の要素も含み、あるいはこのような過程、方法、物品または機器が固有の要素をさらに含むことである。また、さらに限定しない限り、「１つの…を含む」のように限定している要素は、前記要素を含む過程、方法、物品または機器には別の同様な要素を含まないというわけではない。
【０１１７】
本発明のある好適な実施形態を参照して、本発明に対して図示および説明を行ったが、当業者は、本発明の精神および範囲を脱離しない限り、形式的または細節的に様々な変化を実施することができると理解できる。
【図１】
0006491765.tif 000002
【図２】
0006491765.tif 000003
【図３】
0006491765.tif 000004
【図４】
0006491765.tif 000005
【図５】
0006491765.tif 000006
【図６】
0006491765.tif 000007
【図７】
0006491765.tif 000008
【図８】
0006491765.tif 000009